(57)【特許請求の範囲】
【請求項１】
一側が本体に回動自在に枢支され、当該の本体の前面開口を開閉自在に閉塞する外扉と、該外扉の内側に位置して一側が前記本体に回動自在に枢支され、前記本体内に構成された収納室の前面を開閉自在に閉塞する内扉とを備えて成るロッカーであって、
前記収納室内は、前記本体下部に構成された機械室内に配設された冷却装置により所定温度に冷却されると共に、
前記外扉と前記内扉間には、前記機械室内と連通する廃熱ダクトが構成され、
前記外扉の回動に伴う当該外扉の枢支側端部の移動軌跡は前記本体の一側面より外側に出ず、前記内扉の枢支側前面は内側に凹陥した凹陥部とされ、
前記外扉の開閉時に前記本体の前面開口側に張り出す当該外扉の枢支側内面が前記内扉の凹陥部内に進入することを特徴とするロッカー。
【請求項２】
前記収納室内に、少なくとも前面が開口した、内箱を前後方向摺動可能に収納したことを特徴とする請求項１のロッカー。
【請求項３】
前記内箱の前端には、所定曲率で内方に折曲された把手部を形成したことを特徴とする請求項２のロッカー。
【請求項４】
前記外扉の内面或いは前記内扉の外面には、前記外扉を閉じた際に前記内扉を閉じる方向に付勢する弾性部材を設けたことを特徴とする請求項１、請求項２又は請求項３のロッカー。
【発明の詳細な説明】
【０００１】
【発明の属する技術分野】
本発明は、本体内に構成された収納室の前面開口を開閉自在に閉塞する内扉と、該内扉の外側において開閉自在とされた外扉とを備えたロッカーに関するものである。
【０００２】
【従来の技術】
近年のように共働き家庭が増えている状況では、宅配物の配送時に顧客が在宅していない場合が多く、そのため、特にマンションなどの集合住宅では、荷物預かり用のロッカーなどが、エントランスホールなどに設置されていることがある。
【０００３】
係るロッカーは、宅配業者が、施錠されていないロッカーに宅配物を収納し、扉を閉鎖することにより、自動的に施錠されるものである。そして、施錠時にロッカーに備え付けられたレシート発行部から発行されたレシートを顧客の郵便受けに入れ、係るレシートを受け取った顧客がロッカーにて、レシートに記載された暗証番号などを入力することにより、前記ロッカーが解錠されるものであった。
【０００４】
【発明が解決しようとする課題】
一方、近年物流業界は革新的に進展し、食品の宅配時にも冷蔵或いは冷凍したまま配送するまでに至っている。係る食品の低温配送時には、通常は発泡スチロールなどから成る断熱性の宅配箱内に食品を収納し、その状態で冷凍車或いは冷蔵車の荷室に収納して顧客宅まで配送される。
【０００５】
上述の如く近年のように共働き家庭が増えている状況では、前記ロッカーに収納された場合であっても、係るロッカーは、温度管理が行われないため、比較的長時間宅配箱内に食品が放置されることになる。しかしながら、係る発泡スチロール製の宅配箱の保冷性能には限界があるため、配送時に顧客が在宅していて直ぐに家庭の冷蔵庫に移されれば良いものの、前述の如く長時間宅配箱が放置されるような場合には、その間に温度が上昇し、食品が劣化してしまう問題があった。
【０００６】
そこで、上述如きロッカーを冷蔵又は冷凍状態に温度管理し、宅配箱全体を保冷することが考えられるが、収納室内を冷却するために本体を断熱箱体にて構成する必要がある。しかしながら、断熱箱体では、施錠機構を設けることが困難であるため、収納室の前面開口は、断熱材にて構成される内扉と、係る内扉の外側に設けられると共に、施錠機構を備えた鋼板製の外扉とにより開閉自在に閉塞しなければならない。
【０００７】
しかしながら、収納室の前面開口を内扉と外扉の二重構造の扉にて開閉自在に閉塞した場合、内扉の開閉を行う際に外扉が影響してしまい、内扉を本体に対し垂直に開閉できないという問題があった。また、係るロッカーを横に隣接して設置した場合、外扉の開放すると枢支側に並べて設置されたロッカーが邪魔となり外扉を広く開放することができないという問題がある。そこで、複数のロッカーを横に並べて設置する場合に、所定の間隔を存して設置しなければ成らず、外観上、管理上好ましいものではなかった。
【０００８】
そこで、本発明は、技術的課題を解決するために成されたものであり、複数のロッカーを横に隣接して設置した場合であっても外扉の開閉を円滑に行うことができるロッカーを提供することを目的とする。
【０００９】
【課題を解決するための手段】
本発明は、一側が本体に回動自在に枢支され、当該本体の前面開口を開閉自在に閉塞する外扉と、該外扉の内側に位置して一側が本体に回動自在に枢支され、本体内に構成された収納室の前面を開閉自在に閉塞する内扉とを備えて成るロッカーにおいて、収納室内は、本体下部に構成された機械室内に配設された冷却装置により所定温度に冷却されると共に、外扉と内扉間には、機械室内と連通する廃熱ダクトが構成され、外扉の回動に伴う当該外扉の枢支側端部の移動軌跡は本体の一側面より外側に出ず、内扉の枢支側前面は内側に凹陥した凹陥部とされ、外扉の開閉時に本体の前面開口側に張り出す枢支側内面が内扉の凹陥部内に進入することを特徴とする。
【００１０】
本発明によれば、一側が本体に回動自在に枢支され、当該本体の前面開口を開閉自在に閉塞する外扉と、外扉の内側に位置して一側が本体に回動自在に枢支され、本体内に構成された収納室の前面を開閉自在に閉塞する内扉とを備えて成るロッカーであって、収納室内は、本体下部に構成された機械室内に配設された冷却装置により所定温度に冷却されると共に、外扉と内扉間には、機械室内と連通する廃熱ダクトが構成されるため、機械室内の廃熱により内扉前面の結露の発生を未然に回避することができるようになる。
【００１１】
特に、外扉の回動に伴う外扉の枢支側端部の移動軌跡は本体の一側面より外側に出ず、内扉の枢支側前面は内側に凹陥した凹陥部とされているので、本発明のロッカーを横に隣接して設置した場合であっても外扉の開閉を円滑に行うことができようになる。
【００１２】
また、外扉の開閉時には、外扉の枢支側内面が本体の前面開口側に張り出すかたちとなるが、内扉の枢支側前面は内側に凹陥した凹陥部とされているため、外扉の枢支側内面が内扉の開閉に影響を与えないこととなり、内扉の開閉を支障なく行うことができるようになる。
【００１３】
請求項２の発明のロッカーは、上記発明に加えて、収納室内に、少なくとも前面が開口した内箱を前後方向摺動可能に収納したことを特徴とする。
【００１４】
請求項２の発明によれば、上記発明に加えて、収納室内に、少なくとも前面が開口した内箱を前後方向摺動可能に収納したので、収納室内に収納した物品を容易に取り出すことが可能となる。
【００１５】
請求項３の発明のロッカーは、上記発明に加えて、内箱の前端には、所定曲率で内方に折曲された把手部を形成したことを特徴とする。
【００１６】
請求項３の発明によれば、上記発明に加えて、内箱の前端には、所定曲率で内方に折曲された把手部を形成したので、手指を把手部にかけて内箱を前後に摺動させることができるようになる。
【００１７】
また、この把手部は、格別な部材を内箱に取り付けることなく把手部を形成することができ、コストの削減を図ることができると共に、作業工程を簡素化することができるようになる。
【００１８】
請求項４の発明のロッカーは、上記各発明に加えて、外扉の内面或いは内扉の外面には、外扉を閉じた際に内扉を閉じる方向に付勢する弾性部材を設けたことを特徴とする。
【００１９】
請求項４の発明によれば、上記各発明に加えて、外扉の内面或いは内扉の外面には、外扉を閉じた際に内扉を閉じる方向に付勢する弾性部材を設けたので、外扉を閉じるだけで、弾性部材により内扉を閉じる方向に付勢することができ、内扉を確実に閉じることができるようになり、収納室内の密閉度を向上させることができるようになる。
【００２０】
【発明の実施の形態】
本発明のロッカーは、特にマンションなどの集合住宅に設置される荷物預かり用のロッカーであり、宅配物の一時保管に用いられるものとする。以下、宅配物の一時保管用のロッカーとして説明するが、本発明は、これ以外に、スーパーマーケットなどの店舗などに設置されるロッカーとしても用いることができるものとする。
【００２１】
本発明のロッカー１について図１乃至図３を参照して説明する。図１は本発明のロッカー１の斜視図、図２は外扉２及び内扉３を取り外した状態のロッカー１の正面図、図３はロッカー１の縦断側面図を示している。本発明のロッカー１は、前面に開口を有する鋼板製の箱体により本体４が構成され、この本体４内は図示しない仕切板により、上下に三段の収納室が形成される。上段に位置する収納室は、温度管理手段を何も設けない常温収納室であり、常温収納室の前面には、鋼板製の開閉扉６が回動自在に設けられる。
【００２２】
中段及び下段に位置する収納室は、詳細は後述する冷却装置Ｒにより冷蔵温度に管理される中段冷蔵収納室８と下段冷蔵収納室５である。この中段冷蔵収納室８及び下段冷蔵収納室５を構成する本体４内には、断熱性を有する発泡断熱材７が充填されており、外部からの熱の出入りを抑制している。尚、断熱材７以外に、冷蔵収納室５又は８が位置する本体４内に断熱箱体を設けても良いものとする。
【００２３】
そして、これら中段冷蔵収納室８の前面開口８Ａ及び下段冷蔵収納室５の前面開口５Ａの内側縁部には、後方に所定寸法分、即ち詳細は後述する内扉３の厚さ寸法分だけ凹陥した内扉収納部２４が形成される。そして、この内扉３の外側には、詳細は後述する外扉２が開閉自在に設けられる。
【００２４】
中段冷蔵収納室８及び下段冷蔵収納室５内には、図４に示す如きアルミニウムなどの熱伝導性材料にて構成された内箱２１が出入可能に収納される。この内箱２１は、前面から上面にわたって連続して開口した矩形体を呈しており、横寸法は、冷蔵収納室５又は８の横寸法よりも所定寸法小さく形成されている。また、この内箱２１の下面は、平坦に形成されており、冷蔵収納室５又は８の下面に対し容易に摺動可能とされる。尚、本実施例の内箱２１は、前面から上面に渡って連続して開口されているが、これ以外に前面のみが開口しているものであっても良いものとする。
【００２５】
そして、冷蔵収納室５又は８の下面には、内箱２１の左右方向の移動を禁止するための断面略Ｌ字状の案内部材２２が左右それぞれに固定されている。尚、中段冷蔵収納室８の下面であって、左右の案内部材２２が取り付けられる位置よりも外側には、下段冷蔵収納室５内と連通する冷気孔８Ａ、８Ａが形成されている。また、下段冷蔵収納室５の下面であって、左右の案内部材２２が取り付けられる位置よりも外側には、前記冷却室と連通する冷気吐出孔５Ａ及び冷気吸込孔５Ｂが形成されている。
【００２６】
そのため、冷却室から冷気吐出孔５Ａを介して下段冷蔵収納室５内に吐出された冷気は、内箱２１と本体４内面との間を通った後、この冷気吐出孔５Ａのほぼ真上に位置して形成される冷気孔８Ａに向けて吐出される。このとき、冷気吐出孔５Ａから吐出された冷気の一部は、冷気孔８Ａに流入せず、下段冷蔵収納室５内の天面に沿って下段冷蔵収納室５内の内箱２１内に流入し、この内箱２１内を冷却する。
【００２７】
一方、冷気孔８Ａを介して中段冷蔵収納室８内に流入した冷気は、中段冷蔵収納室８内の内箱２１と本体４内面との間を通った後、中段冷蔵収納室８天面に沿って中段冷蔵収納室８内の内箱２１内に流入し、この内箱２１内を冷却する。そして、この中段冷蔵収納室８内を循環した冷気は、反対側の内箱２１と本体４内面との間を通った後、冷気孔８Ａを介して下段冷蔵収納室５内に流下する。
【００２８】
中段冷蔵収納室８内から流下された冷気及び下段冷蔵収納室内を循環した冷気は、先ほどとは反対側の内箱２１と本体４内面との間を通った後、冷気吸込孔５Ｂを介して冷却室内に帰還される。
【００２９】
これにより、内箱２１の側壁は冷気の案内板としての効果を奏し、冷気循環を効率的に行うことができるようになり、冷却効率を向上させることができる。また、内箱２１が熱伝導性材料にて構成されているので、係る内箱２１が冷却され、この内箱２１による間接冷却によっても内箱２１内の物品を冷却することができ、冷却効率を向上させることができるようになる。
【００３０】
また、内箱２１の下面前端は、図５に示す如く所定曲率で内方に折曲された把手部２１Ａが形成される。そのため、内箱２１内に物品等に付着した水滴等の液体が漏洩した場合であっても、液体の漏出を把手部２１Ａにて阻止することが可能となり、容易に液体が内箱２１内から漏出することを防止することができる。
【００３１】
以上の構成により形成された内箱２１は、冷蔵収納室５及び８下面に設けられた案内部材２２、２２間に前方から挿入し、内箱２１を収納する。このとき、内箱２１は左右が案内部材２２、２２により案内されているため、左右に所定間隔を保持しつつ、容易に前後に摺動を行うことができる。そのため、内箱２１の奥部に収納された物品であっても容易に取り出すことが可能となる。また、この内箱２１は、冷蔵収納室５又は８に取り出し可能に収納されているため、内箱２１のみを取り出し、洗浄を行うことができ、衛生上、好ましいものとなる。
【００３２】
また、上述の如く内箱２１の前端には、把手部２１Ａが形成されているため、該把手部２１Ａに手指をかけることができ、これにより、内箱２１の前後の摺動を容易に行うことができる。
【００３３】
更に、この把手部２１Ａは、格別な部材を内箱２１に取り付けることなく把手部を形成することができ、部品点数の削減によるコストの削減を実現することができると共に、作業工程の簡素化を図ることができる。
【００３４】
一方、下段冷蔵収納室５の下方には、機械室１５が形成されており、中段冷蔵収納室８及び下段冷蔵収納室５を所定温度に冷却するための冷却装置Ｒが設けられている。即ち、機械室１５内には、冷却装置Ｒを構成する圧縮機１６、凝縮器１７、凝縮器用送風機１８等が配設されていると共に、機械室１５上部には、上面に開口を有する断熱箱１９が設けられ、この断熱箱１９内には、中段冷蔵収納室８及び下段冷蔵収納室５と連通して設けられる図示しない冷却室が形成されている。この冷却室内には、圧縮機１６と共に所謂冷凍サイクルを構成する図示しない冷却器と冷却器用送風機が配設されている。
【００３５】
また、この機械室１５の前面には、複数の通風孔１０を形成した機械室扉１１が回動自在に設けられており、この機械室扉１１には、施錠装置１２が設けられている。また、この機械室扉１１の左右縁及び下縁には、機械室１５側に略直角に折曲されたフランジが形成されており、上方に開口する廃熱ダクト２０が形成されている。尚、図２における２３は、冷蔵収納室５及び８内の設定温度を調節するコントロールパネルである。
【００３６】
次に、図６乃至図９を参照して内扉３及び外扉２について説明する。内扉３は断熱性を有する断熱扉により構成されると共に、中段冷蔵収納室８の前面開口８Ａ及び下段冷蔵収納室５の前面開口５Ａの内側縁部に形成された内扉収納部２４内に収納できる寸法に形成される。
【００３７】
また、この内扉収納部２４が形成される開口の一方の側部には、内扉３の側端に取り付けられるヒンジ部材２６が取り付けられ、内扉３が前方に回動自在に枢支される。また、この内扉３の後面には、外縁部に沿って密閉部材としてのパッキン２７が取り付けられ、該パッキン２７は、内扉収納部２４の前面と密着して冷蔵収納室５又は８内を密閉するものとする。
【００３８】
また、内扉３の枢支側の前面には、内側に凹陥した凹陥部３Ａが形成されており、外扉２と共に内扉３を開放した際に、内扉３の開放が、外扉２により干渉されない構成とされている。
【００３９】
そして、内扉３の枢支側に位置する本体４の前面開口の前端には、ヒンジ部材２８が取り付けられており、係るヒンジ部材２８により前方に回動自在に開閉可能とする外扉２が取り付けられる。ここで、外扉２は、枢支側の本体４側面よりも外扉２の枢支側端部が内側に位置するように、言い換えると、外扉２の枢支側端部の前端の移動軌跡Ｐが本体４の一側面より外側に出ないとされる位置にヒンジ部材２８により取り付けられる。このとき、外扉２の枢支側端部の後端の移動軌跡Ｑが本体４の前端に接触しない位置と成るように外扉２が回動自在に取り付けられる。
【００４０】
また、この外扉２は、例えば鋼板製の板状部材により構成され、両側部には、上端及び下端が後面に略直角に折曲し、上面及び下面２Ａが形成された後、更に内方に向けて略直角に折曲した図示しない後面が形成される。これにより、この両側部の上面又は下面２Ａ間と内扉３の前面との間には、上下に連通した廃熱ダクト３３が形成される。
【００４１】
ここで、下段冷蔵収納室５前面に取り付けられる外扉２の廃熱ダクト３３は、前記機械室扉１１に形成された廃熱ダクト２０と連通するため、機械室１５内で冷却装置Ｒにより発生する廃熱を廃熱ダクト２０及び３３に流入させることができるようになる。これにより、内扉３の前面に生じる結露の発生を未然に回避することができる。
【００４２】
また、この外扉２の非枢支側内面、本実施例では、非枢支側の前記後面には、図７に示す如き弾性部材としての板バネ３４が取り付けられる。この板バネ３４は外扉２に対し後方に付勢するものである。尚、この板バネ３４は、内扉３の非枢支側前面に取り付けられていても良いものであり、この場合、板バネ３４は、内扉３に対し前方に付勢するものであるとする。また、板バネ３４のほかにも、弾性部材としてゴム部材や、スプリング、又は復元力を有するものを用いても良いものとする。
【００４３】
尚、図１及び図７における２５は、外扉２の非枢支側後面に設けられる鍵受け部材であり、本体４の前部であって、この鍵受け部材２５に対応する位置には、該鍵受け部材２５と係合し、施錠可能とするロック装置３５が設けられている。尚、図１における３０は、鍵用開口であり、鍵受け部材２５をロック装置３５内に挿入し係合可能とするための開口である。
【００４４】
以上の構成により、外扉２を開放した場合、外扉２の閉扉時における枢支側端部２Ｂの前端は移動軌跡Ｐを通って回動されるため、外扉２の側端部が本体３の側面よりも外側に出ないで回動を行うことができる。これにより、本発明のロッカー１を横に隣接して設置した場合であっても、横のロッカー１の本体に干渉されることなく、外扉２を略９０°回動させることができ、円滑に外扉２の開閉を行うことができるようになる。
【００４５】
一方、外扉３の開閉時には、外扉３の枢支側内面が本体４の前面開口５Ａ又は８Ａ側に張り出すかたちとなる。この状態のまま、内扉３を前面に回動させ、開放を行った場合、外扉３の前面開口５Ａ又は８Ａ側に張り出した枢支側内面は、内扉３に形成された凹陥部３Ａ内に侵入し、外扉３の枢支側内面が内扉３の開閉に影響を与えないこととなり、内扉３の開閉を支障なく行うことができる。
【００４６】
また、上述の如く外扉２の後面には、板バネ３４が設けられているため、係る外扉２を閉じるだけで、板バネ３４の付勢力により内扉３を閉じる方向に付勢することができ、内扉３を確実に閉じることができるようになる。また、この板バネ３４は、常に内扉３を閉じる方向に付勢されているため、パッキン２７と本体４前面との密着性を向上させることができ、冷却効率を向上させることができるようになる。
【００４７】
【発明の効果】
以上詳述した如く本発明によれば、一側が本体に回動自在に枢支され、当該本体の前面開口を開閉自在に閉塞する外扉と、外扉の内側に位置して一側が本体に回動自在に枢支され、本体内に構成された収納室の前面を開閉自在に閉塞する内扉とを備えて成るロッカーであって、収納室内は、本体下部に構成された機械室内に配設された冷却装置により所定温度に冷却されると共に、外扉と内扉間には、機械室内と連通する廃熱ダクトが構成されるため、機械室内の廃熱により内扉前面の結露の発生を未然に回避することができるようになる。
【００４８】
特に、外扉の回動に伴う外扉の枢支側端部の移動軌跡は本体の一側面より外側に出ず、内扉の枢支側前面が内側に凹陥した凹陥部とされ、外扉の開閉時に本体の前面開口側に張り出す枢支側内面は内扉の凹陥部内に進入するので、本発明のロッカーを横に隣接して設置した場合であっても外扉の開閉を円滑に行うことができようになる。
【００４９】
また、外扉の開閉時には、外扉の枢支側内面が本体の前面開口側に張り出すかたちとなるが、内扉の枢支側前面が内側に凹陥した凹陥部とされているため、外扉の枢支側内面が内扉の開閉に影響を与えないこととなり、内扉の開閉を支障なく行うことができるようになる。
【００５０】
請求項２の発明によれば、上記発明に加えて、収納室内に、少なくとも前面が開口した内箱を前後方向摺動可能に収納したので、収納室内に収納した物品を容易に取り出すことが可能となる。
【００５１】
請求項３の発明によれば、上記発明に加えて、内箱の前端には、所定曲率で内方に折曲された把手部を形成したので、手指を把手部にかけて内箱を前後に摺動させることができるようになる。
【００５２】
また、この把手部は、格別な部材を内箱に取り付けることなく把手部を形成することができ、コストの削減を図ることができると共に、作業工程を簡素化することができるようになる。
【００５３】
請求項４の発明によれば、上記各発明に加えて、外扉の内面或いは内扉の外面には、外扉を閉じた際に内扉を閉じる方向に付勢する弾性部材を設けたので、外扉を閉じるだけで、弾性部材により内扉を閉じる方向に付勢することができ、内扉を確実に閉じることができるようになり、収納室内の密閉度を向上させることができるようになる。
【図面の簡単な説明】
【図１】  本発明のロッカーの斜視図である。
【図２】  外扉及び内扉を開放した状態のロッカーの正面図である。
【図３】  ロッカーの縦断側面図である。
【図４】  内箱の斜視図である。
【図５】  内箱の前部拡大断面図である。
【図６】  冷蔵収納室の枢支側の断面図である。
【図７】  冷蔵収納室の非枢支側の断面図である。
【図８】  内扉及び外扉の開放時の枢支側の断面図である。
【図９】  外扉の移動軌跡を示す説明図である。
【符号の説明】
１  ロッカー
２  外扉
３  内扉
３Ａ  凹陥部
４  本体
５、８  冷蔵収納室
２０  廃熱ダクト
２１  内箱
２１Ａ  把手部
２２  案内部材
２４  内扉収納部
２５  鍵受け部材
２６、２８  ヒンジ部材
２７  パッキン
３３  廃熱ダクト
３４  板バネ
【図１】
0004889171.tif 000002
【図２】
0004889171.tif 000003
【図３】
0004889171.tif 000004
【図４】
0004889171.tif 000005
【図５】
0004889171.tif 000006
【図６】
0004889171.tif 000007
【図７】
0004889171.tif 000008
【図８】
0004889171.tif 000009
【図９】
0004889171.tif 000010